(57)【要約】【課題】記録中又は表示中のチャンネルの番組が終了した際において、元のチャンネルに戻す必要がある場合であっても、容易に元のチャンネルに戻すことができる。【解決手段】受信装置は、第２チャンネルに対するリンク情報を含む第１チャンネルの第１番組データ、及び、第２チャンネルの第２番組データを、受信可能な受信手段と、受信するチャンネルを選局する選局手段と、第１チャンネルが選局された状態において、第１番組データに含まれたリンク情報に基づき、第２チャンネルを選局するよう選局手段を制御する第１の選局制御手段と、第１の選局制御手段によって選局手段が制御された場合、遷移情報を記録する記録手段と、遷移情報が記録されている場合において、第２番組データの終了を検知した場合、第２チャンネルに遷移する前のチャンネルを選局するよう選局手段を制御する第２の選局制御手段と、を備える。【選択図】図６
2012160773.tif 000002
【特許請求の範囲】
【請求項１】
第２チャンネルに対するリンクを示すリンク情報を含む第１チャンネルの第１番組データ、及び、当該第２チャンネルの第２番組データを、受信可能な受信手段と、
前記受信手段で受信するチャンネルを選局する選局手段と、
前記選局手段で第１チャンネルが選局された状態において、前記第１番組データに含まれたリンク情報に基づき、前記第２チャンネルを選局するよう前記選局手段を制御する第１の選局制御手段と、
前記第１の選局制御手段によって前記選局手段が制御された場合、前記リンク情報でチャンネルが遷移したことを示す情報を記録する記録手段と、
前記記録手段に前記リンク情報でチャンネルが遷移したことを示す情報が記録されている場合において、前記第２チャンネルの第２番組データの終了を検知した場合、前記第２チャンネルに遷移する前のチャンネルを選局するよう前記選局手段を制御する第２の選局制御手段と、
を備える受信装置。
【請求項２】
前記第２の選局制御手段は、さらに前記第２のチャンネルがユーザーによって指定されたチャンネルリストに含まれていない場合、前記選局手段を制御する、
請求項１に記載の受信装置。
【請求項３】
前記第２の選局制御手段は、さらに前記受信手段で受信した第２番組データが記憶媒体に録画されている場合、前記選局手段を制御する、
請求項１に記載の受信装置。
【請求項４】
前記受信手段は、複数の番組データを並行して受信可能であり、
前記第２の選局制御手段は、さらに前記受信手段で受信された第２番組データが記憶媒体に録画されており、かつ、前記受信手段が前記第２番組データ以外に他の番組データを受信している場合、前記選局手段を制御する、
請求項１に記載の受信装置。
【発明の詳細な説明】
【技術分野】
【０００１】
本発明は、放送波を受信して記録する記録装置、又は、放送波を受信して表示する表示装置に関するものである。
【背景技術】
【０００２】
現在、放送波には、同じ時間帯に、複数の番組（番組データ）が信号として含まれている。各々の番組データは、特定の周波数に変換されて放送されている。また、特定の周波数は、放送局によってチャンネル情報が割り当てられている。つまり、記録装置などの機器は、チューナーで、あるチャンネル情報（周波数域）が選局されると、選局されたチャンネル情報（周波数域）の番組データを取得できるように構成されている。なお、機器では、ユーザーに対してチャンネル切り換えを容易にするため、放送波に含まれるチャンネル情報に対して、機器側チャンネル情報を割り当てできるように構成されている。
【０００３】
ここで番組データには、対話型コンテンツを含むようにしたものがある。この対話型コンテンツは、例えば、双方向番組を可能にするために用いられるものである。例えば、イギリスやニュージーランドなどの放送でこのような方式がとられている。
【０００４】
対話型コンテンツは、あるチャンネル（第１のチャンネル）の番組データが視聴されている際に、他のチャンネル（第２のチャンネル）に対する遷移を示す情報である。例えば、対話型コンテンツ（以下、ＭＨＥＧデータと称する）は、ＭＨＥＧ−５（プログラミング言語）によって記述されたソフトウェアで用いることができる。つまり、機器は、あるチャンネルの番組データを見ている際に、ユーザー操作に応じて、対話型コンテンツに基づく、他のチャンネルへの遷移をできるようにしている。
【０００５】
例えば、機器は、第１のチャンネルが選局された状態で、ＭＨＥＧ−５が起動されると、第１のチャンネルの対話型コンテンツを読み出す。そして、機器は、対話型コンテンツによって、チューナーを、第２のチャンネルになるよう選局を行なう。これによって、双方向番組サービスを実現している。
【０００６】
ここで上記のような放送波を受信する機器（表示装置又は記録装置）では、第１のチャンネルの対話型コンテンツを経由して、第２のチャンネルに遷移した場合、第１のチャンネルの番組が終了すると、第２のチャンネルの番組も終了するはずであるため、第２のチャンネルを第１のチャンネルに戻す必要がある。これは、第２のチャンネルの番組は、第１のチャンネルの番組が行なわれている場合に限り、第１のチャンネルの番組に関連するものだからである。つまり、第１のチャンネルの番組が終了した後において、第２のチャンネルの番組には、どのような番組が行なわれているか不明である。したがって、機器が、対話型コンテンツを用いて第１チャンネルから第２チャンネルに遷移した状態において、第１のチャンネルの番組が終了した後に、第２チャンネルの番組の記録又は表示を継続してしまうと、ユーザーは混乱する可能性がある。
【０００７】
そこで、特許文献１に記載の機器では、対話型コンテンツを用いて第１のチャンネルから第２のチャンネルに選局が変更された場合、第１のチャンネルの対話型コンテンツを受信し続ける。これによって、第１のチャンネルの対話型コンテンツの放送終了を検知して、第２のチャンネルから第１のチャンネルに選局を元に戻すことを実現している。
【先行技術文献】
【特許文献】
【０００８】
【特許文献１】特表２００８−５０５５１９号公報
【発明の概要】
【発明が解決しようとする課題】
【０００９】
しかしながら、特許文献１に記載の機器では、記録又は表示されている第２のチャンネルの番組データの受信に併せて、第１のチャンネルの対話型コンテンツを受信し続ける必要があるため、搭載するメモリが飛躍的に増大する。
【００１０】
そこで本発明は、記録中又は表示中のチャンネルの番組が終了した際において、元のチャンネルに戻す必要がある場合であっても、安価な構成で元のチャンネルに戻して記録又は表示を継続できる記録装置、及び表示装置を提供することを目的とする。
【課題を解決するための手段】
【００１１】
すなわち、本発明の受信装置は、第２チャンネルに対するリンクを示すリンク情報を含む第１チャンネルの第１番組データ、及び、当該第２チャンネルの第２番組データを、受信可能な受信手段と、前記受信手段で受信するチャンネルを選局する選局手段と、前記選局手段で第１チャンネルが選局された状態において、前記第１番組データに含まれたリンク情報に基づき、前記第２チャンネルを選局するよう前記選局手段を制御する第１の選局制御手段と、前記第１の選局制御手段によって前記選局手段が制御された場合、前記リンク情報でチャンネルが遷移したことを示す情報を記録する記録手段と、前記記録手段に前記リンク情報でチャンネルが遷移したことを示す情報が記録されている場合において、前記第２チャンネルの第２番組データの終了を検知した場合、前記第２チャンネルに遷移する前のチャンネルを選局するよう前記選局手段を制御する第２の選局制御手段と、を備える。
【発明の効果】
【００１２】
本発明によれば、記録中又は表示中のチャンネルの番組が終了した際において、元のチャンネルに戻す必要がある場合であっても、容易に元のチャンネルに戻して記録又は表示を継続できる。
【図面の簡単な説明】
【００１３】
【図１】図１は、装置間の接続関係を示した図である。
【図２】図２は、記録装置内のＬＳＩの機能ブロックを示した図である。
【図３】図３は、放送波に含まれるチャンネル情報を示した図である。
【図４】図４は対話型コンテンツを用いた選局動作を示した図である。
【図５】図５はリモコンのボタンを示した図である。
【図６】図６は記録装置の動作を時系列で説明した図である。
【図７】図７は記録装置の、チャンネル変更時の動作を説明したフローチャートである。
【図８】図８は記録装置の、対話型コンテンツ（ＭＨＥＧデータ）によってチャンネルを変更する時の動作を説明したフローチャートである。
【図９】図９は記録装置の、第１のチャンネルの放送が終了した時の動作を説明したフローチャートである。
【図１０】図１０は、他の実施の形態における装置間の接続関係を示した図である。
【発明を実施するための形態】
【００１４】
（実施の形態１）
＜１．実施の形態の概要＞
以下、本発明の実施の形態について、添付の図面を参照して説明する。本実施の形態において、記録装置は、レコーダーである。記録装置は、２つのチューナーを備える。そして、記録装置は、第１のチャンネルの対話型コンテンツ（以下、ＭＨＥＧデータと称する）経由で第２のチャンネルに遷移した場合、第１のチャンネルから第２のチャンネルへＭＨＥＧデータ経由で遷移したことを示す遷移情報を記録する。そして、記録装置は、第２のチャンネルのコンテンツが終了すると、記録された遷移情報に基づいて、第２のチャンネルを第１のチャンネルに切り換える。
【００１５】
これによって、記録装置は、簡易な構成で、元のチャンネルに戻すことができるようになる。
＜２．放送波に含まれるチャンネルの説明（図３、４）＞
図３を用いて、放送波に割り当てられたチャンネル情報（周波数域）を説明する。
【００１６】
放送波には、ある周波数帯を複数に分割し、分割した各々の周波数域に、チャンネル情報（以下、放送チャンネル情報）が割り当てられている。ここでレコーダー１は、受信する放送波に対して、各々の周波数域に、機器側チャンネル情報を割り当てることが可能である。つまり、複数の放送チャンネル情報のうち、一部の放送チャンネル情報が、レコーダー１によって機器側チャンネル情報に割り当てられる。本実施の形態では、レコーダー１によって割り当てられた複数の機器側チャンネル情報を、チャンネルリストと呼ぶ。
【００１７】
本実施の形態では、チャンネルリストに含まれる放送チャンネル情報として、放送チャンネル００１〜０１０に関する情報が含まれているものとする。ある放送チャンネル情報（周波数域）で受信可能な番組データには、ビデオストリーム、オーディオストリーム、及び、対話型コンテンツ（ＭＨＥＧデータ）などが含まれている。ＭＨＥＧデータには、現在の放送チャンネルから遷移可能な放送チャンネル情報が含まれている。例えば、図３では、放送チャンネル００２の番組データには、ＭＨＥＧデータとして、放送チャンネル１００が含まれている。
【００１８】
ここでＭＨＥＧデータの中に含まれる放送チャンネル情報には、機器側のチャンネルリストに含まれるものと、含まれないものが存在する。例えば、図３では、放送チャンネル００１の番組データには、ＭＨＥＧデータに、チャンネルリストに含まれる放送チャンネル情報（放送チャンネル０１０）が含まれている。一方、放送チャンネル００２の番組データには、ＭＨＥＧデータに、チャンネルリストに含まれない放送チャンネル情報（放送チャンネル１００）が含まれている。
【００１９】
上記のような放送波が行なわれる理由は、複数の放送局が、一つの周波数域に対して、時間帯を分けあって情報を放送する可能性があるためである。例えば、ある放送局が、ある特別な番組（例：他地域では受信させたくない、高品位なチャンネル）を指定された周波数以外の周波数やトランスポンダで放送する場合、この特別な放送局が、この周波数域を特定の時間帯独占することになる。そのため、他の放送局は、他の時間帯しかその周波数やトランスポンダを使用できないことになる。すなわち、上記放送波では、放送チャンネル情報で受信可能な番組データに、ＭＨＥＧデータという形で、別の周波数で、特別な番組が放送されていることを示す放送チャンネル情報を付与できるようにしている。
【００２０】
図４を用いて、放送チャンネル情報の選局方法を説明する。ユーザーは、リモコンのチャンネルボタン４２（上下のボタン）によって、機器チャンネルを選局する。この機器チャンネルに対応する形で、放送チャンネル００１、００２、００３、０１０が選局されることになる。つまり、レコーダー１は、リモコンからの機器チャンネルを放送チャンネルに変換して、レコーダー１内のチューナーを制御する。
【００２１】
他に、放送チャンネル００１を選局中、カラーボタン４３を用いてＭＨＥＧを起動し、ＭＨＥＧデータを用いて、放送チャンネル０１０を選局する方法がある。また、放送チャンネル２を選局中、カラーボタンを用いてＭＨＥＧを起動し、ＭＨＥＧデータを用いて放送チャンネル１００を選局する方法がある。
＜３．構成の説明（図１、２、５）＞
＜３．１    装置間の説明（図１）＞
図１は装置間の説明である。
【００２２】
レコーダー１はアンテナ３から受けた信号をテレビ２に表示する。テレビ２はレコーダー１からの出力された映像・音声信号を出力する。アンテナ３は放送を受信し、レコーダー１に信号を供給する。リモコン４は、ユーザーの操作に応じた操作信号をレコーダー１に送信する。なお、リモコン４の構成を以下に説明する。
【００２３】
リモコン４は、図５のように、録画ボタン４１、チャンネルボタン４２、及びカラーボタン４３を備えている。録画ボタン４１は録画を開始する録画ボタンである。チャンネルボタン４２はチャンネルを変更するチャンネルボタンである。カラーボタン４３はＭＨＥＧを起動させるカラーボタンである。
＜３．２    レコーダー１の構成の説明（図１）＞
レコーダー１は、第１のチューナー１１、第２のチューナー１２、ＨＤＤ１３、フラッシュメモリ１４、ＬＳＩ１６、電源１７、及びリモコン受光部１８から構成されている。
【００２４】
第１のチューナー１１はアンテナ３からの信号を受け、ＬＳＩ１６に制御されることで、アンテナ３から入力した放送信号を選局し、ＬＳＩ１６に供給する。第２のチューナー１２はアンテナ３からの信号を受け、ＬＳＩ１６に制御されることで、アンテナ３から入力した放送信号を選局し、ＬＳＩ１６に供給する。ＨＤＤ１３は第１のチューナー１１、第２のチューナー１２からの信号を、ＬＳＩ１６経由で記録する記録媒体である。フラッシュメモリ１４にはプリセットされたチャンネルの設定情報が記憶されている。ＬＳＩ１６は各種制御を行う。ＬＳＩ１６については、実施の形態１の３．３で詳述する。電源１７はＬＳＩ１６に電源を供給する。リモコン受光部１８はユーザーによるリモコン４の操作を検知し、ＬＳＩ１６にリモコン４によるユーザー操作を伝える。
＜３．３    ＬＳＩ１６の機能ブロックの説明（図２）＞
ＬＳＩ１６は、選局制御部１６１、メモリ制御部１６２、メモリ１６３、対話型コンテンツ制御部１６４、システム制御部１６５、及び録画制御部１６６から構成されている。
【００２５】
システム制御部１６５は、選局制御部１６１、メモリ制御部１６２、対話型コンテンツ制御部１６４、及び録画制御部１６６を制御し、リモコン受光部１８からのユーザー操作を処理し、チャンネルの変更、ＭＨＥＧの起動、放送の終了を判別する。
【００２６】
選局制御部１６１は、システム制御部１６５に制御されることによって、第１のチューナー１１、第２のチューナー１２を制御してアンテナ３からの信号を選局する。また、選局制御部１６１は、選局に関する情報（チャンネル情報）をメモリ制御部１６２に提供する。
【００２７】
録画制御部１６６は、システム制御部１６５に制御されることによって、第１のチューナー１１、第２のチューナー１２からの信号をＨＤＤ１３に記録する。
【００２８】
対話型コンテンツ制御部１６４は、システム制御部１６５に制御されることによって、第１のチューナー１１、第２のチューナー１２からの対話型コンテンツ（ＭＨＥＧデータ）を制御する。また、対話型コンテンツ制御部１６４は、ＭＨＥＧ制御に関する情報（ＭＨＥＧ遷移前に戻るフラグ）を、メモリ制御部１６２に提供する。つまり、ＭＨＥＧ遷移前に戻るフラグは、遷移情報の一例である。
【００２９】
メモリ制御部１６２は、システム制御部１６５に制御されることによって、選局に関する情報や、ＭＨＥＧ制御に関する情報を、メモリ１６３に記録する。
【００３０】
メモリ１６３には、メモリ制御部１６２によって、選局に関する情報や、ＭＨＥＧ制御に関する情報が記録される。
＜４．動作の説明（図６〜９）＞
以下、本実施の形態のレコーダー１の動作例を説明する。図６を用いて説明を行なう。
【００３１】
図６において、ユーザーがリモコン４のチャンネルボタン４２を用いて放送チャンネル００２を選局したとする（ｔ１）。
【００３２】
この際、システム制御部１６５は、図７のように、チャンネルが変わったことを判別すると（Ａ１）、フラッシュメモリ１４に格納されている設定情報に基づいて、選局制御部１６１を介して第１のチューナー１１を制御する（Ａ２）。例えば、第１のチューナー１１は、アンテナ３から入力された信号のうち、出力信号を放送チャンネル００２で選局する。この後、システム制御部１６５は、メモリ１６３を介して、第１のチューナー１１の選局後の放送チャンネル情報（放送チャンネル００２）の情報を記録する（Ａ３）。
【００３３】
この際、ＬＳＩ１６は、選局された放送チャンネル００２の番組データが第１のチューナー１１から入力される。そして、ＬＳＩ１６は、テレビ２に映像・音声を出力する。これによって、テレビ２に、番組が表示される。また、対話型コンテンツ制御部１６４は、放送チャンネル００２の番組データからＭＨＥＧデータを受信する。
【００３４】
次に、図６において、ユーザーがリモコン４のカラーボタン４３を用いて、ＭＨＥＧデータにより放送チャンネル１００を選局したとする（ｔ２）。
【００３５】
この際、システム制御部１６５は、図８のように、カラーボタン４３に対する指示を受け付けると（Ｂ１）、対話型コンテンツ制御部１６４を制御する。対話型コンテンツ制御部１６４は、ＭＨＥＧを起動する（Ｂ２）。その後、対話型コンテンツ制御部１６４は、ＭＨＥＧデータに基づいて、選局制御部１６１を制御する。選局制御部１６１は、第１のチューナー１１を制御して、アンテナ３から入力した第１のチューナー１１の出力信号を放送チャンネル１００で選局する(Ｂ３)。システム制御部１６５は、ＭＨＥＧ遷移前のチャンネルに戻る必要があることを示すフラグを有効にし、メモリ制御部１６２を介して、メモリ１６３に格納する（Ｂ４）。テレビ２には、第１のチューナー１１から出力された放送チャンネル１００の番組データの映像・音声が出力される。また、対話型コンテンツ制御部１６４は、放送チャンネル００２のＭＨＥＧデータの受信を中断し、放送チャンネル１００のＭＨＥＧデータを受信する。
【００３６】
次に、図６において、ユーザーがリモコン４の録画ボタン４１を用いて録画を開始したとする（ｔ３）。
【００３７】
この際、システム制御部１６５は、番組を録画するため、録画制御部１６６を制御する。録画制御部１６６は、第１のチューナー１１からの放送チャンネル１００の番組データ（映像信号及び音声信号）の録画を、ＨＤＤ１３に対して開始する。
【００３８】
次に、図６において、ユーザーがリモコン４のチャンネルボタン４２を用いて放送チャンネル００３を選局したとする（ｔ４）。レコーダー１は、放送チャンネル１００の録画を継続しつつ放送チャンネル００３を選局する必要があるため、選局制御部１６１が録画には使用していない第２のチューナー１２を制御して、アンテナ３から入力した第２のチューナー１２の出力信号を放送チャンネル００３に選局する。テレビ２には、第２のチューナー１２から出力された放送チャンネル００３の映像・音声が出力される。また、対話型コンテンツ制御部１６４は放送チャンネル１００のＭＨＥＧデータの受信を中断する。
【００３９】
次に、図６において、録画中の放送チャンネル１００の番組が終了したとする（ｔ５）。
【００４０】
この際、図９において、システム制御部１６５は、番組の終了を検知した場合（Ｃ１）、メモリ制御部１６２を介して、メモリ１６３に格納されているＭＨＥＧ遷移前のチャンネルに戻る必要があることを示すフラグ情報を参照し、ＭＨＥＧ遷移前のチャンネルに戻る必要があるかどうかを判断する（Ｃ２）。
【００４１】
ここでシステム制御部１６５は、番組の終了を、以下のように検知する。番組データには、現在放送されている番組を示す情報が含まれることがある。このような場合、システム制御部１６５は、番組を示す情報を監視する。この監視した番組を示す情報が、他の番組のものに変化した場合、番組が終了したと判断する。なお、他の方法もある。例えば、番組の切り替わりを示す信号を、番組データに含むようにすればよい。この場合、レコーダー１は、番組の切り替わりを示す信号を検知して、番組の終了を判断すればよい。
【００４２】
図９の説明に戻って、システム制御部１６５は、戻る必要がないと判断した場合、録画中であると（Ｃ７）、録画を終了する（Ｃ８）。
【００４３】
一方、ステップＣ２において、システム制御部１６５は、戻る必要があると判断した場合、メモリ制御部１６２を介して、メモリ１６３に格納された放送チャンネル情報を参照する（Ｃ３）。システム制御部１６５は、参照した放送チャンネル情報に基づき、選局制御部１６１を制御する。選局制御部１６１は、放送チャンネル情報によって第１のチューナー１１を制御し、放送チャンネル００２で選局する（Ｃ４）。その際、録画中であることを判別し（Ｃ５）、放送チャンネル００２の番組データの録画を継続する（Ｃ６）。
【００４４】
つまり、本実施の形態では、第１のチャンネルから第２のチャンネルへＭＨＥＧデータ経由で遷移したことを示す遷移情報を、チャンネル情報及びＭＨＥＧ遷移前に戻るフラグを用いて実現している。ステップＡ３で記録される放送チャンネル情報は、元のチャンネルを知るための情報であり、ＭＨＥＧ遷移前に戻るフラグは、現在のチャンネルがＭＨＥＧデータ経由で遷移したことを知るための情報である。
＜５．まとめ＞
本実施の形態において、レコーダー１は、ＭＨＥＧデータを用いて第１チャンネルから第２チャンネルに遷移した場合、放送チャンネル情報及びＭＨＥＧ遷移前に戻るフラグをメモリ１６３に格納された状態にしておくようにした。
【００４５】
このようにすれば、例えば、ＭＨＥＧデータを用いて選局した放送チャンネル１００の放送が終了した場合であっても、簡易な手段で、ＭＨＥＧで遷移する前のチャンネルに戻すことができる。
（実施の形態２）
実施の形態１において、メモリ１６３に、第１のチューナー１１の情報だけでなく、第２のチューナー１２の情報をも記録することによって、ＭＨＥＧで遷移した先のチャンネルの終了を検知した場合にＭＨＥＧで遷移する前のチャンネルに戻る、という動作を、第１のチューナー１１のチャンネルに限らず、第２のチューナー１２のチャンネルでも実現することができる。
（実施の形態３）
実施の形態２において、メモリ１６３に、２つのチューナーの情報だけでなく、任意の数のチューナーの情報を格納することで、記録装置が備えるすべてのチューナーに対して、ＭＨＥＧで遷移した先のチャンネルの終了を検知した場合にＭＨＥＧで遷移する前のチャンネルに戻る、という動作を実現することができる。
【００４６】
結果、チューナーの数が増大しても、選局情報のみを拡張する必要があるだけで、ＭＨＥＧデータの受信は常に１チャンネル分で足りることになる。
（実施の形態４）
＜１．実施の形態の概要＞
実施の形態１のアンテナから入力した信号をインターネット経由で受信する信号に置き換えたものである。実施の形態１と同様の構成については、説明を省略する。
＜２．構成の説明（図１、２、５）＞
＜２．１装置間の説明（図１０）＞
図１０は装置間の説明である。
【００４７】
レコーダー１はサーバ５から取得した信号をテレビ２に表示する。
【００４８】
サーバ５はインターネットでレコーダー１と接続されているサーバであり、レコーダー１に放送信号を提供する。
＜２．２レコーダー１の構成の説明（図１０）＞
レコーダー１は、ＨＤＤ１３、フラッシュメモリ１４、ＬＳＩ１６、電源１７、リモコン受光部１８、及びストリーム取得部１９から構成されている。
【００４９】
ＨＤＤ１３はストリーム取得部１９からの信号を、ＬＳＩ１６経由で記録する記録媒体である。ＬＳＩ１６は各種制御を行う。ＬＳＩ１６については実施の形態４の３．３で説明する。ストリーム取得部１９はインターネットで接続されたサーバ５から、番組データのストリームを取得する。またストリーム取得部１９は、選局されたストリームを、サーバ５から取得する。ストリーム取得部１９は、取得したストリームをＬＳＩ１６に供給する。また、図２において、選局制御部１６１は、システム制御部１６５に制御されることによって、ストリーム取得部１９が取得するストリームを選局する。また、選局制御部１６１は、選局に関する情報をメモリ制御部１６２に提供する。本実施の形態において、ストリームは、放送チャンネルに対応するものとする。
【００５０】
＜３．動作の説明（図６〜９）＞
以下、本実施の形態のレコーダー１の動作例を説明する。図６を用いて説明を行なう。
【００５１】
図６において、ユーザーがリモコン４のチャンネルボタン４２を用いて放送チャンネル００２を選局したとする（ｔ１）。
【００５２】
この際、システム制御部１６５は、図７のように、チャンネルが変わったことを判別すると（Ａ１）、フラッシュメモリ１４に格納されている設定情報に基づいて、選局制御部１６１を介してストリーム取得部１９を制御する（Ａ２）。例えば、システム制御部１６５は、選局制御部１６１に、放送チャンネル００２を選局するよう指示する。ストリーム取得部１９は、選局制御部１６１からの制御によって、選局された放送チャンネル００２に対応するストリームを取得する。この後、システム制御部１６５は、メモリ１６３を介して、ストリーム取得部１９の選局後の放送チャンネル情報（放送チャンネル００２）の情報を記録する（Ａ３）。
【００５３】
この際、ＬＳＩ１６は、選局された放送チャンネル００２で受信した番組データがストリーム取得部１９から入力される。そして、ＬＳＩ１６は、テレビ２に映像・音声を出力する。これによって、テレビ２に、番組が表示される。また、対話型コンテンツ制御部１６４は、放送チャンネル００２の番組データからＭＨＥＧデータを受信する。
【００５４】
次に、図６において、ユーザーがリモコン４のカラーボタン４３を用いて、ＭＨＥＧデータにより放送チャンネル１００を選局したとする（ｔ２）。
【００５５】
この際、システム制御部１６５は、図８のように、カラーボタン４３に対する指示を受け付けると（Ｂ１）、対話型コンテンツ制御部１６４を制御する。対話型コンテンツ制御部１６４は、ＭＨＥＧを起動する（Ｂ２）。その後、対話型コンテンツ制御部１６４は、ＭＨＥＧデータに基づいて、選局制御部１６１を制御する。選局制御部１６１は、ストリーム取得部１９に、放送チャンネル１００に対応するストリームを取得するよう指示を出す(Ｂ３)。システム制御部１６５は、ＭＨＥＧ遷移前のチャンネルに戻る必要があることを示すフラグを有効にし、メモリ制御部１６２を介して、メモリ１６３に格納する（Ｂ４）。テレビ２には、ストリーム取得部１９から出力された放送チャンネル１００の映像・音声が出力される。また、対話型コンテンツ制御部１６４は、放送チャンネル００２のＭＨＥＧデータを中断し、放送チャンネル１００のＭＨＥＧデータを受信する。
【００５６】
次に、図６において、ユーザーがリモコン４の録画ボタン４１を用いて録画を開始したとする（ｔ３）。
【００５７】
この際、システム制御部１６５は、番組を録画するため、録画制御部１６６を制御する。録画制御部１６６は、ストリーム取得部１９からの放送チャンネル１００の番組データ（映像信号及び音声信号）の録画を、ＨＤＤ１３に対して開始する。
【００５８】
次に、図６において、ユーザーがリモコン４のチャンネルボタン４２を用いて放送チャンネル００３を選局したとする（ｔ４）。レコーダー１は、放送チャンネル１００の録画を継続しつつ放送チャンネル００３を選局する必要があるため、選局制御部１６１が録画には使用していない第２のチューナー１２を制御して、ストリーム取得部１９の出力信号を放送チャンネル００３に選局する。テレビ２には、ストリーム取得部１９から出力された放送チャンネル００３の映像・音声が出力される。また、対話型コンテンツ制御部１６４は放送チャンネル１００のＭＨＥＧデータの受信を中断する。
【００５９】
次に、図６において、録画中の放送チャンネル１００の番組が終了したとする（ｔ５）。
【００６０】
この際、図９において、システム制御部１６５は、番組の終了を検知した場合（Ｃ１）、メモリ制御部１６２を介して、メモリ１６３に格納されているＭＨＥＧ遷移前のチャンネルに戻る必要があることを示すフラグ情報を参照し、ＭＨＥＧ遷移前のチャンネルに戻る必要があるかどうかを判断する（Ｃ２）。
【００６１】
システム制御部１６５は、戻る必要がないと判断した場合、録画中であると（Ｃ７）、録画を終了する（Ｃ８）。
【００６２】
一方、ステップＣ２において、システム制御部１６５は、戻る必要があると判断した場合、メモリ制御部１６２を介して、メモリ１６３に格納された放送チャンネル情報を参照する（Ｃ３）。システム制御部１６５は、参照した放送チャンネル情報に基づき、選局制御部１６１を制御する。選局制御部１６１は、放送チャンネル情報によって第１のチューナー１１を制御して放送チャンネル００２を選局する（Ｃ４）。その際、録画中であることを判別し（Ｃ５）、放送チャンネル００２で受信した番組データの録画を継続する（Ｃ６）。
【００６３】
つまり、本実施の形態では、第１のチャンネルから第２のチャンネルへＭＨＥＧデータ経由で遷移したことを示す遷移情報を、放送チャンネル情報及びＭＨＥＧ遷移前に戻るフラグを用いて実現している。
【００６４】
このようにすれば、例えば、ＭＨＥＧデータを用いて選局したチャンネル１００の放送が終了した場合であっても、簡易な手段で、ＭＨＥＧで遷移する前のチャンネルに戻すことができる。
（実施の形態５）
実施の形態４において、メモリ１６３に、第１のストリームの情報だけでなく、第２のストリームの情報をも記録することによって、ＭＨＥＧで遷移した先のチャンネルの終了を検知した場合にＭＨＥＧで遷移する前のチャンネルに戻る、という動作を、第１のストリームのチャンネルに限らず、第２のストリームのチャンネルでも実現することができる。
（実施の形態６）
実施例５において、メモリ１６３に、２つのストリームの情報だけでなく、任意の数のストリームの情報を格納することで、記録装置が一度に取得できるストリームの数だけ、ＭＨＥＧで遷移した先のチャンネルの終了を検知した場合にＭＨＥＧで遷移する前のチャンネルに戻る、という動作を実現することができる。
【００６５】
結果、一度に取得できるストリームの数が増大しても、選局情報のみを拡張する必要があるだけで、ＭＨＥＧデータの受信は常に１チャンネル分で足りることになる。
（他の実施の形態）
なお、本発明は、上記実施の形態に限定されず、種々の形態で実現可能である。
【００６６】
本実施の形態では、ＭＨＥＧデータから遷移した場合に、ＭＨＥＧ遷移前に戻るフラグが記憶されているようにした。しかし、これに限られず、チャンネルリストに含まれないチャンネルにＭＨＥＧデータで遷移した場合、ＭＨＥＧ遷移前に戻るフラグが記憶されているようにしてもよい。このようにすれば、チャンネルリストにないチャンネルに遷移された場合において、チャンネルを元に戻せるようになるため、ユーザーが混乱する可能性を軽減できる。
【００６７】
例えば、図３において、ＭＨＥＧデータを用いて放送チャンネル００２から放送チャンネル１００に遷移した場合に、上記データを記憶しておく。一方、ＭＨＥＧデータを用いて放送チャンネル００１から放送チャンネル０１０に遷移した場合、上記データを記憶しないようにする。このようにすればよい。
【００６８】
また、本実施の形態では、対話型コンテンツ（ＭＨＥＧデータ）を用いて第１のチャンネルから第２のチャンネルに対して遷移できるようにした。しかし、これに限られず、他のチャンネルに遷移するための情報を示すものであれば、どのような情報であってもかまわない。
【産業上の利用可能性】
【００６９】
本発明はＨＤＤレコーダに限らず、ＤＶＤレコーダやＢＤレコーダなど、放送信号を記録する機能を備えた機器に適用できる。また、本発明は、ＴＶなどにも適用可能である。
【符号の説明】
【００７０】
１    レコーダー
１１    第１のチューナー
１２    第２のチューナー
１３    ＨＤＤ
１４    フラッシュメモリ
１６    ＬＳＩ
１６１    選局制御部
１６２    メモリ制御部
１６３    メモリ
１６４    対話型コンテンツ制御部
１６５    システム制御部
１６６    録画制御部
１７    電源
１８    リモコン受光部
１９    ストリーム取得部
２    テレビ
３    アンテナ
４    リモコン
４１    録画ボタン
４２    チャンネルボタン
４３    カラーボタン
５    サーバ
【図１】
2012160773.tif 000003
【図２】
2012160773.tif 000004
【図３】
2012160773.tif 000005
【図４】
2012160773.tif 000006
【図５】
2012160773.tif 000007
【図６】
2012160773.tif 000008
【図７】
2012160773.tif 000009
【図８】
2012160773.tif 000010
【図９】
2012160773.tif 000011
【図１０】
2012160773.tif 000012